(57)【要約】【課題】複数台のコンピュータ間でファイル転送効果を奏することができる切替器を提供すること。【解決手段】第１コンピュータと結合する第１ポートと、第２コンピュータと結合する第２ポートと、該第１コンピュータ、及び、該第２コンピュータと結合する第３ポートと、該第１ポートと結合する第１ハブユニットと、該第２ポートと結合する第２ハブユニットと、該第１ハブユニット、及び、該第２ハブユニットの間に結合するデータ転送ユニットと、該第１ハブユニット、及び、該第２ハブユニットの間に結合する駆動ユニットと、該第１ハブユニット、第２ハブユニット、及び、第３ポートと結合する切替ユニットと、該切替ユニットと結合する制御ポート、及び、該制御ポートと結合する１組のキーボード、カーソル制御装置、及び、ディスプレイとを含む。【選択図】図１
2010205264.tif 000002
【特許請求の範囲】
【請求項１】
複数台のコンピュータ間でファイルを転送できる切替器であって、
第１コンピュータと結合する第１ポートと、
第２コンピュータと結合する第２ポートと、
前記第１コンピュータ、及び、前記第２コンピュータと結合する第３ポートと、
前記第１ポートと結合する第１ハブユニットと、
前記第２ポートと結合する第２ハブユニットと、
前記第１ハブユニット、及び、前記第２ハブユニットの間に結合するデータ転送ユニットと、
前記第１ハブユニット、及び、前記第２ハブユニットの間に結合し、駆動プログラムを保存する駆動ユニットと、
前記第１ハブユニット、第２ハブユニット、及び、第３ポートと結合する切替ユニットと、
前記切替ユニットと結合する制御ポート、及び、
前記制御ポートと結合する１組のキーボード、カーソル制御装置、及び、ディスプレイとを、含み、
前記切替ユニットは、前記１組のキーボード、カーソル制御装置、及び、ディスプレイを前記第１コンピュータ、或いは、前記第２コンピュータと結合させるよう切り替え、且つ、前記データ転送ユニットは前記第１ハブユニットを経由して前記第１コンピュータのデータを一時的に保存し、また、前記第２ハブユニットを経由して前記データを前記第２コンピュータに転送することを特徴とする複数台のコンピュータ間でファイルを転送できる切替器。
【請求項２】
前記データ転送ユニットは、先入先出（ＦＩＦＯ）メモリであることを特徴とする請求項１に記載の複数台のコンピュータ間でファイルを転送できる切替器。
【請求項３】
複数台のコンピュータ間でファイルを転送できる切替器であって、
第１コンピュータと結合する第１ポートと、
第２コンピュータと結合する第２ポートと、
前記第１コンピュータ、及び、前記第２コンピュータと結合する第３ポートと、
前記第１ポートと結合する第１ハブユニットと、
前記第２ポートと結合する第２ハブユニットと、
前記第１ハブユニット、及び、前記第２ハブユニットの間に結合するデータ転送ユニットと、
前記第１ハブユニットに結合し、駆動プログラムを保存する第１駆動ユニットと、
前記第２ハブユニットに結合し、また、若干の駆動プログラムを保存する第２駆動ユニットと、
ＵＳＢホストと第３ハブユニットを備え、且つ、前記ＵＳＢホストが前記第１ハブユニット、及び、第２ハブユニットと結合する第１切替ユニットと、
前記第３ポートと結合する第２切替ユニットと、
前記第３ハブユニット、及び、前記第２切替ユニットと結合する制御ポート、及び、
前記制御ポートと結合する前記１組のキーボード、カーソル制御装置、及び、ディスプレイとを、含み、
前記第１切替ユニットは、前記キーボード、及び、カーソル制御装置を前記第１コンピュータ、或いは、前記第２コンピュータと結合させるよう切り替え、前記第２切替ユニットは前記ディスプレイを前記第１コンピュータ、或いは、前記第２コンピュータと結合させるよう切り替え、且つ、前記データ転送ユニットは前記第１ハブユニットを経由して前記第１コンピュータのデータを一時的に保存し、また、前記第２ハブユニットを経由して前記データを前記第２コンピュータに転送することを特徴とする複数台のコンピュータ間でファイルを転送できる切替器。
【請求項４】
前記データ転送ユニットは、先入先出（ＦＩＦＯ）メモリであることを特徴とする請求項３に記載の複数台のコンピュータ間でファイルを転送できる切替器。
【請求項５】
前記第２切替ユニットは、ビデオ切替ユニットであることを特徴とする請求項３に記載の複数台のコンピュータ間でファイルを転送できる切替器。
【請求項６】
前記ＵＳＢホストと前記第３ハブユニットをチップに統合することを特徴とする請求項３に記載の複数台のコンピュータ間でファイルを転送できる切替器。
【請求項７】
複数台のコンピュータ間でファイルを転送できる切替器であって、
第１コンピュータと結合する第１ポートと、
第２コンピュータと結合する第２ポートと、
前記第１コンピュータ、及び、前記第２コンピュータと結合する第３ポートと、
前記第１ポートと結合する第１ＵＳＢ物理層ユニットと、
前記第２ポートと結合する第２ＵＳＢ物理層ユニットと、
前記第１ＵＳＢ物理層ユニット、及び、前記第２ＵＳＢ物理層ユニットの間に結合するマイクロコントロールユニットと、
ＵＳＢホストとハブを含み、且つ、前記ＵＳＢホストと前記マイクロコントロールユニットとが結合する中継ユニットと、
前記第３ポートと結合するビデオ切替ユニットと、
前記ハブ、及び、前記ビデオ切替ユニットと結合する制御ポート、及び、
前記制御ポートと結合する１組のキーボード、カーソル制御装置、及び、ディスプレイとを、含み、
前記マイクロコントロールユニットは、前記キーボード、及び、カーソル制御装置を前記第１コンピュータ、或いは、前記第２コンピュータと結合させるよう切り替え、前記ビデオ切替ユニットは前記ディスプレイを前記第１コンピュータ、或いは、前記第２コンピュータと結合させるよう切り替え、且つ、前記マイクロコントロールユニットは前記第１ＵＳＢ物理層ユニットを経由して前記第１コンピュータのデータを一時的に保存し、また前記第２ＵＳＢ物理層ユニットを経由して前記データを前記第２コンピュータに転送することを特徴とする複数台のコンピュータ間でファイルを転送できる切替器。
【請求項８】
前記ＵＳＢホストと前記ハブをチップに統合することを特徴とする請求項７に記載の複数台のコンピュータ間でファイルを転送できる切替器。
【請求項９】
前記第１ＵＳＢ物理層ユニット、前記第２ＵＳＢ物理層ユニットと前記マイクロコントロールユニットをチップに統合することを特徴とする請求項７に記載の複数台のコンピュータ間でファイルを転送できる切替器。
【発明の詳細な説明】
【技術分野】
【０００１】
本発明は、少なくとも２台のコンピュータ本体が繋がり、利用者に１組のターミナルを通じて該少なくとも２台の二コンピュータ本体を制御させるＫＶＭ（キーボード／ビデオ／マウス）切替器に関し、特に、複数台のコンピュータ間でファイルを転送できる切替器に関する。
【背景技術】
【０００２】
電子製品において、１台のコンピュータ本体を複数台のコンピュータ本体と接続する装置が存在し、例えばＫＶＭ（キーボード／ビデオ／マウス）切替器で、これは複数台のコンピュータ本体と接続し、また１組のキーボード、ディスプレイ及びマウスを利用してＫＶＭ（キーボード／ビデオ／マウス）切替器と接続した全てのコンピュータ本体をコントロールできる。これにより、利用者は各コンピュータ本体に対応するキーボード、ディスプレイ及びマウスを購入する必要がなく、１組のキーボード、ディスプレイ及びマウスのみで十分対応できる。利用者が、ＫＶＭ（キーボード／ビデオ／マウス）切替器と接続するコンピュータ本体１台に対してアクセス操作を行った時、コンピュータ本体のビデオ信号を処理した後、該ディスプレイに表示させる。
【０００３】
利用者は、ＫＶＭ（キーボード／ビデオ／マウス）切替器に接続するコンピュータ本体２台のファイルデータを相互送信したい場合、インターネット（ｉｎｔｅｒｎｅｔ、ｅｍａｉｌ）或いはイントラネット（ｉｎｔｒａｎｅｔ）の方式を通じてのみ送信、若しくは外付け式ストレージデバイス（例えば、外付けハードディスクまたはフラッシュディスク等）を利用してコンピュータのファイルを該デバイスに保存してから、別のコンピュータに差し込んで読み取る。しかしながら、この２つの方式は使用上、非常に多くのステップによって完成し、非常に時間を浪費し、且つ不便であるため、実用的とは言えない。
【０００４】
これにより、如何にしてステップが簡単で且つ時間を浪費しない前提の下、切替器によりコンピュータ間でファイル転送機能を持たせるかが意味のある考え方である。
【発明の概要】
【発明が解決しようとする課題】
【０００５】
これにより、本発明は複数台のコンピュータ間でファイル転送効果を奏することができる切替器を提供することを主目的とする。
【課題を解決するための手段】
【０００６】
上記の目的を達成するため、本発明の技術を次のように実現していく。複数台のコンピュータ間でデータを転送できる切替器には、第１コンピュータと結合する第１ポートと、第２コンピュータと結合する第２ポートと、該第１コンピュータ及び該第２コンピュータと結合する第３ポートと、該第１ポートと結合する第１ハブユニットと、該第２ポートと結合する第２ハブユニットと、該第１ハブユニット及び該第２ハブユニットの間に結合するデータ転送ユニットと、該第１ハブユニット及び該第２ハブユニットの間に結合し、また若干の駆動プログラムを保存する駆動ユニットと、該第１ハブユニット、第２ハブユニット及び第３ポートと結合する切替ユニットと、該切替ユニットと結合する制御ポート、及び該制御ポートと結合する１組のキーボード、カーソル制御装置及びディスプレイとを含む。該切替ユニットは、該組のキーボード、カーソル制御装置及びディスプレイを該第１コンピュータ或いは該第２コンピュータと結合させるよう切り替え、且つ該データ転送ユニットは該第１ハブユニットを経由して該第１コンピュータのデータを一時的に保存し、また該第２ハブユニットを経由して該データを該第２コンピュータに転送する。
【０００７】
本発明の別の実施例として複数台のコンピュータ間でデータを転送できる切替器を開示し、これには第１コンピュータと結合する第１ポートと、第２コンピュータと結合する第２ポートと、該第１コンピュータ及び該第２コンピュータと結合する第３ポートと、該第１ポートと結合する第１ハブユニットと、該第２ポートと結合する第２ハブユニットと、該第１ハブユニット及び該第２ハブユニットの間に結合するデータ転送ユニットと、該第１ハブユニットに結合し、若干の駆動プログラムを保存する第１駆動ユニットと、該第２ハブユニットに結合し、若干の駆動プログラムを保存する第２駆動ユニットと、ＵＳＢホストと第３ハブユニットを備え、且つ該ＵＳＢホストが該第１ハブユニット及び第２ハブユニットと結合する第１切替ユニットと、該第３ポートと結合する第２切替ユニットと、該第３ハブユニット及び該第２切替ユニットと結合する制御ポート、及び該制御ポートと結合する１組のキーボード、カーソル制御装置及びディスプレイとを含む。該第１切替ユニットは、該キーボード及びカーソル制御装置を該第１コンピュータ或いは該第２コンピュータと結合させるよう切り替え、該第２切替ユニットは、該ディスプレイを該第１コンピュータ或いは該第２コンピュータと結合させるよう切り替え、且つ該データ転送ユニットは該第１ハブユニットを経由して該第１コンピュータのデータを一時的に保存し、また該第２ハブユニットを経由して該データを該第２コンピュータに転送する。
【０００８】
さらに、本発明の別の実施例として複数台のコンピュータ間でデータを転送できる切替器を開示し、これには、第１コンピュータと結合する第１ポートと、第２コンピュータと結合する第２ポートと、該第１コンピュータ及び該第２コンピュータと結合する第３ポートと、該第１ポートと結合する第１ＵＳＢ物理層ユニットと、該第２ポートと結合する第２ＵＳＢ物理層ユニットと、該第１ＵＳＢ物理層ユニット及び該第２ＵＳＢ物理層ユニットの間に結合するマイクロコントロールユニットと、ＵＳＢホストとハブを含み、且つ該ＵＳＢホストと該マイクロコントロールユニットとが結合する中継ユニットと、該第３ポートと結合するビデオ切替ユニットと、該ハブ及び該ビデオ切替ユニットと結合する制御ポート、及び該制御ポートと結合する１組のキーボード、カーソル制御装置及びディスプレイとを含む。該マイクロコントロールユニットは、該キーボード及びカーソル制御装置を該第１コンピュータ或いは該第２コンピュータと結合させるよう切り替え、該ビデオ切替ユニットは、該ディスプレイを該第１コンピュータ或いは該第２コンピュータと結合させるよう切り替え、且つ該マイクロコントロールユニットは、該第１ＵＳＢ物理層ユニットを経由して該第１コンピュータのデータを一時的に保存し、また該第２ＵＳＢ物理層ユニットを経由して該データを該第２コンピュータに転送する。
【０００９】
当該技術分野における熟練者が以降の図面および詳細な説明によって本発明のその他システム、方法、特徴及び長所を理解することができるであろう。本明細書内に含まれるこれら追加されたシステム、方法、特徴及び長所が、本発明の内容をカバーし、且つ添付されている特許請求の範囲で保護される。
【図面の簡単な説明】
【００１０】
【図１】本発明の切替器の実施ブロック図である。
【図２】本発明の切替器の他の実施ブロック図である。
【図３】本発明の切替器のさらに他の実施ブロック図である。
【発明を実施するための形態】
【００１１】
本発明は、利用者が１組のキーボード、モニタ及びマウスにより、複数台のコンピュータ本体をコントロールさせることができるスイッチモジュールに関し、市場にすでに非常に多くのキーボード信号とマウス信号をＵＳＢ信号に変換するための製品があり、本発明はその製品と同じ概念を利用して実現する。
【００１２】
図１を参照にしながら説明する。図１は、本発明の切替器の実施ブロック図である。図１に示すように、本発明の切替器１０は、主に第１ポート（図示せず）、第２ポート（図示せず）、第３ポート（図示せず）、第１ハブユニット１１、第２ハブユニット１２、データ転送ユニット１３、駆動ユニット１４、切替ユニット１５及び制御ポート（図示せず）からなる。第１ポート（図示せず）と第１コンピュータ２１とが結合し、第２ポート（図示せず）と第２コンピュータ２２とが結合する。例を挙げて言うと、第１ポート（図示せず）と第２ポート（図示せず）は、いずれもＵＳＢインターフェースのポートで、第１コンピュータ２１と第２コンピュータ２２を制御する制御信号の伝送に用いることができる。第３ポート（図示せず）と第１コンピュータ２１及び第２コンピュータ２２とが結合し、例を挙げて言うと、第３ポート（図示せず）がビデオインターフェースのポートで、例えば、ＤＶＩ、Ｄ−ｓｕｂ、ＨＤＭＩ等であり、第１コンピュータ２１と第２コンピュータ２２のビデオ信号の伝送に用いられる。第１ハブユニット１１と第１ポートとが結合し、第２ハブユニット１２と第２ポートとが結合する。データ転送ユニット１３は第１ハブユニット１１と第２ハブユニット１２に結合する。駆動ユニット１４が第１ハブユニット１１と該第２ハブユニット１２の間に結合し、その中に若干の駆動プログラムを保存し、以って第１ハブユニット１１及び第２ハブユニット１２と結合する各種周辺機器（例えば、キーボード、マウス等）を駆動する。切替ユニット１５と第１ハブユニット１１、第２ハブユニット１２及び第３ポート（図示せず）とが結合する。制御ポート（図示せず）と切替ユニット１５とが結合し、１組のキーボード２３、カーソル制御装置２４及びディスプレイ１５と制御ポートとが結合する。
【００１３】
利用者は、第１コンピュータ２１を操作している状態から第２コンピュータ２２の操作へ切り替えたい時、切替ユニット１５の切替を通じて該組のキーボード２３、カーソル制御装置２４及びディスプレイ２５を第１コンピュータ２１と結合している状態から第２コンピュータ２２との結合状態に変わらせることができる。本来の第１コンピュータ２１の操作状態へ戻したい場合も、切替ユニット１５の切替を通じて該組のキーボード２３、カーソル制御装置２４及びディスプレイ２５を第２コンピュータ２２と結合している状態から第１コンピュータ２１との結合状態に変える。利用者は、第１コンピュータ２１上のデータを第２コンピュータ２２に転送する場合、該データをコピーすると、データ転送ユニット１３が第１ハブユニット１１を経由して該データを一時的に保存することができ、利用者がインターネット、イントラネット若しくは外付け式ストレージデバイスを通じる必要がなく、該組のキーボード２３、カーソル制御装置２４及びディスプレイ２５を第１コンピュータ２１と結合している状況から第２コンピュータ２２との結合状態に変えた後、第２ハブユニット１２を経由して該データを第２コンピュータ２２に転送して第１コンピュータ２１と第２コンピュータ２２間のデータ転送を完成でき、ステップが簡単で時間が掛からず、非常に実用的である。
【００１４】
利用者は、第１コンピュータ２１の複数のファイルを第２コンピュータ２２に転送したい時、データ転送ユニット１３の容量が足りる場合、大部分のファイルがその中に一時的に保存され、また順序通り第２コンピュータ２２に転送できるため、データ転送ユニット１３は、先入先出（ＦＩＦＯ）メモリとすることができる。
【００１５】
図２を参照ながら説明する。図２は、本発明の切替器の他の実施ブロック図である。図２に示すように、本発明の切替器３０は、主に第１ポート（図示せず）、第２ポート（図示せず）、第３ポート（図示せず）、第１ハブユニット３１、第２ハブユニット３２、データ転送ユニット３３、第１駆動ユニット３４、第２駆動ユニット３５、第１切替ユニット３６、第２切替ユニット３７及び制御ポート（図示せず）からなる。第１ポート（図示せず）と第１コンピュータ２１とが結合し、第２ポート（図示せず）と第２コンピュータ２２とが結合する。例を挙げて言うと、第１ポート（図示せず）と第２ポート（図示せず）は、いずれもＵＳＢインターフェースのポートで、第１コンピュータ２１と第２コンピュータ２２を制御する制御信号の伝送に用いることができる。第３ポート（図示せず）と第１コンピュータ２１及び第２コンピュータ２２とが結合し、例を挙げて言うと、第３ポート（図示せず）がビデオインターフェースのポートで、例えば、ＤＶＩ、Ｄ−ｓｕｂ、ＨＤＭＩ等であり、第１コンピュータ２１と第２コンピュータ２２のビデオ信号の伝送に用いられる。第１ハブユニット３１と第１ポートとが結合し、第２ハブユニット３２と第２ポートとが結合する。データ転送ユニット３３は第１ハブユニット３１と第２ハブユニット３２に結合する。第１駆動ユニット３４が第１ハブユニット３１とが結合し、第２駆動ユニット３５と第２ハブユニット３２とが結合し、第１駆動ユニット３４と第２駆動ユニット３５の中にいずれも若干の駆動プログラムを保存し、以って第１ハブユニット３１及び第２ハブユニット３２と結合する各種周辺機器（例えば、キーボード、マウス等）を駆動する。
【００１６】
第１切替ユニット３６には、ＵＳＢホスト（ｈｏｓｔ）３６１と第３ハブユニット３６２を含み、ＵＳＢホスト３６１と第１ハブユニット３１及び第２ハブユニット３２とが結合する。ＵＳＢホスト３６１は、第３ハブユニット３６２にコンピュータ本体のような機能を持たせ、その他のＵＳＢ周辺機器を受け入れることができる。その製造コストを削減するため、ＵＳＢホスト３６１と第３ハブユニット３６２をチップに統合することができる。第２切替ユニット３７と第３ポートとが結合し、制御ポートは、１組のキーボード２３、カーソル制御装置２４及びディスプレイ１５と結合し、また第３ハブユニット３６２及び第２切替ユニット３７と結合する。
【００１７】
利用者は、第１コンピュータ２１を操作している状態から第２コンピュータ２２の操作へ切り替えたい時、第１切替ユニット３６の切替を通じて該組のキーボード２３、カーソル制御装置２４を第１コンピュータ２１と結合している状態から第２コンピュータ２２との結合状態に変わらせることができ、また第２切替ユニット３７の切替を通じてディスプレイ２５を第１コンピュータ２１と結合している状態から第２コンピュータ２２との結合状態に変わらせることができる。本来の第１コンピュータ２１の操作状態へ戻したい場合も、第１切替ユニット３６と第２切替ユニット３７の切替を通じて該組のキーボード２３、カーソル制御装置２４及びディスプレイ２５を第２コンピュータ２２と結合している状態から第１コンピュータ２１との結合状態に変わらせる。利用者は、第１コンピュータ２１上のデータを第２コンピュータ２２に転送したい場合、該データをコピーすると、データ転送ユニット３３が第１ハブユニット３１を経由して該データを一時的に保存することができ、利用者が該組のキーボード２３、カーソル制御装置２４及びディスプレイ２５を第１コンピュータ２１と結合している状況から第２コンピュータ２２との結合状態に変えた後、第２ハブユニット３２を経由して該データを第２コンピュータ２２に転送して第１コンピュータ２１と第２コンピュータ２２間のデータ転送を完成できる。
【００１８】
利用者は、第１コンピュータ２１の複数のファイルを第２コンピュータ２２に転送したい時、データ転送ユニット３３の容量が足りる場合、大部分のファイルがその中に一時的に保存され、また順序通り第２コンピュータ２２に転送できるため、データ転送ユニット３３は、先入先出（ＦＩＦＯ）メモリとすることができる。
【００１９】
図３を参照にしながら説明する。図３は、本発明の切替器のさらに他の実施ブロック図である。図３に示すように、本発明の切替器４０は、主に第１ポート（図示せず）、第２ポート（図示せず）、第３ポート（図示せず）、第１ＵＳＢ物理層ユニット４１、第２ＵＳＢ物理層ユニット４２、マイクロコントロールユニット４３、中継ユニット４４、ビデオ切替ユニット４５及び制御ポート（図示せず）からなる。第１ポート（図示せず）と第１コンピュータ２１とが結合し、第２ポート（図示せず）と第２コンピュータ２２とが結合する。例を挙げて言うと、第１ポート（図示せず）と第２ポート（図示せず）は、いずれもＵＳＢインターフェースのポートで、第１コンピュータ２１と第２コンピュータ２２を制御する制御信号の伝送に用いることができる。第３ポート（図示せず）と第１コンピュータ２１及び第２コンピュータ２２とが結合し、例を挙げて言うと、第３ポート（図示せず）がビデオインターフェースのポートで、例えば、ＤＶＩ、Ｄ−ｓｕｂ、ＨＤＭＩ等であり、第１コンピュータ２１と第２コンピュータ２２のビデオ信号の伝送に用いられる。第１ＵＳＢ物理層ユニット４１と第１ポートとが結合し、第２ＵＳＢ物理層４２と第２ポートとが結合する。データ転送ユニット４３は第１ＵＳＢ物理層ユニット４１と第２ＵＳＢ物理層ユニット４２の間を結合する。
【００２０】
物理層は、コンピュータネットワークのOSI参照モデルにおける第１層である。物理層は、データ転送を行うための物理コネクションを確立、維持、解放する機械、電気、機能及び手続き的な手段を定義する。簡単に言うと、物理層は、オリジナルのデータが各種物理媒体上で転送できるよう確保する。このため、本発明の第１ＵＳＢ物理層ユニット４１と第２ＵＳＢ物理層ユニット４２は、データがその間を転送することを確保できる。このほか、製造コストを削減するため、第１ＵＳＢ物理層ユニット４１と第２ＵＳＢ物理層ユニット４２をチップに統合できる。
【００２１】
マイクロコントロールユニット４３は、第１ＵＳＢ物理層ユニット４１と第２ＵＳＢ物理層ユニット４２の間を結合する。中継ユニット４４には、ＵＳＢホスト（ｈｏｓｔ）４４１とハブ４４２を含み、且つＵＳＢホスト４４１とマイクロコントロールユニット４３とが結合する。ビデオ切替ユニット４５と第３ポートとが結合し、制御ポート（図示せず）とハブ４４２及びビデオ切替ユニット４５とが結合する。１組のキーボード２３、カーソル制御装置２４及びディスプレイ２５と制御ポート（図示せず）とが結合する。そのほか、製造コストを削減するため、ＵＳＢホスト４４１とハブ４４２をチップに統合できる。
【００２２】
利用者は、第１コンピュータ２１を操作している状態から第２コンピュータ２２の操作へ切り替えたい時、マイクロコントロールユニット４３の切替を通じて該組のキーボード２３、カーソル制御装置２４を第１コンピュータ２１と結合している状態から第２コンピュータ２２との結合状態に変わらせることができ、また第２切替ユニット３７の切替を通じてディスプレイ２５を第１コンピュータ２１と結合している状態から第２コンピュータ２２との結合状態に変わらせることができる。本来の第１コンピュータ２１の操作状態へ戻したい場合も、マイクロコントロールユニット４３の切替を通じて該組のキーボード２３、カーソル制御装置２４及びディスプレイ２５を第２コンピュータ２２と結合している状態から第１コンピュータ２１との結合状態に変わらせる。利用者は、第１コンピュータ２１上のデータを第２コンピュータ２２に転送したい場合、該データをコピーすると、データ転送ユニット３３が第１ＵＳＢ物理層ユニット４１を経由して該データを一時的に保存することができ、利用者が該組のキーボード２３、カーソル制御装置２４及びディスプレイ２５を第１コンピュータ２１と結合している状況から第２コンピュータ２２との結合状態に変えた後、第２ＵＳＢ物理層ユニット４２を経由して該データを第２コンピュータ２２に転送して第１コンピュータ２１と第２コンピュータ２２間のデータ転送を完成できる。
【００２３】
利用者は、第１コンピュータ２１の複数のファイルを第２コンピュータ２２に転送したい時、マイクロコントロールユニット４３内のメモリ容量が足りる場合、大部分のファイルがその中に一時的に保存され、また順序通り第２コンピュータ２２に転送できるため、マイクロコントロールユニット４３内には先入先出（ＦＩＦＯ）を行うことができるメモリを含む。
【図１】
2010205264.tif 000003
【図２】
2010205264.tif 000004
【図３】
2010205264.tif 000005